(57)【要約】【課題】液晶装置等の電気光学装置において、基板上の積層構造の単純化を図る。【解決手段】電気光学装置は、第１方向（Ｘ方向）及び該第１方向に交わる第２方向（Ｙ方向）に沿って配列された複数の画素と、画素毎に夫々対応して設けられた複数のトランジスター（Ｔｒ）と、第１方向に沿って配列された画素からなる画素群毎に設けられ、トランジスターのゲート電極に電気的に夫々接続された複数の走査線（１１）とを備え、複数のトランジスターのうち第２方向において隣り合う画素に設けられたトランジスターは電気的に互いに直列接続されており、互いに直列接続されたトランジスターのうち第２方向における一端に位置するトランジスターに画像信号を供給する画像信号供給部を備える。【選択図】図３
2012168228.tif 000002
【特許請求の範囲】
【請求項１】
第１方向及び該第１方向に交わる第２方向に沿って配列された複数の画素と、
前記画素毎に夫々対応して設けられた複数のトランジスターと、
前記第１方向に沿って配列された前記画素からなる画素群毎に設けられ、前記トランジスターのゲート電極に電気的に夫々接続された複数の走査線と
を備え、
前記複数のトランジスターのうち前記第２方向において隣り合う前記画素に設けられた前記トランジスターは電気的に互いに直列接続されており、
前記互いに直列接続されたトランジスターのうち前記第２方向における一端に位置するトランジスターに画像信号を供給する画像信号供給部を備えることを特徴とする電気光学装置。
【請求項２】
前記画像信号供給部は、表示を行うべき表示期間の前に前記画像信号を供給すべき期間として予め定められた信号供給期間毎に、前記一端に位置する前記トランジスターに前記画像信号として左目用画像信号及び右目用画像信号を交互に供給することを特徴とする請求項１に記載の電気光学装置。
【請求項３】
前記互いに直列接続されたトランジスターの全てがオン状態となるように前記複数の走査線の全てに所定の第１電位を供給し、その後、前記互いに直列接続されたトランジスターのうち前記第２方向における前記一端とは異なる他端側から前記一端側に向かって順番に所定期間毎に前記トランジスターがオフ状態となるように、前記複数の走査線に前記第１電位とは異なる所定の第２電位を供給する走査線駆動回路を備えることを特徴とする請求項１又は２に記載の電気光学装置。
【請求項４】
請求項１から３のいずれか一項に記載の電気光学装置を備えることを特徴とする電子機器。
【発明の詳細な説明】
【技術分野】
【０００１】
本発明は、例えば液晶装置等の電気光学装置、及び該電気光学装置を備えた、例えば液晶プロジェクター等の電子機器の技術分野に関する。
【背景技術】
【０００２】
この種の電気光学装置では、基板上の表示領域に、画素毎に、画素電極、この画素電極の選択的な駆動を行うための走査線、データ線、及び画素スイッチング用のＴＦＴ（Thin Film Transistor）が層間絶縁膜を介して積層構造として作り込まれ、アクティブマトリクス駆動可能に構成される（例えば特許文献１参照）。例えば特許文献１に開示されているように、画素スイッチング用のＴＦＴは、一般的には、そのソースがデータ線に電気的に接続され、そのゲートが走査線に電気的に接続され、そのドレインが画素電極に電気的に接続されており、走査信号に応じてオン状態とされた画素スイッチング用のＴＦＴを介して、データ線から画素電極に画像信号が供給される。
【０００３】
前述したような積層構造をとることにより、電気光学装置は、小型でありながらも高精細な画像を表示することが可能となる。
【先行技術文献】
【特許文献】
【０００４】
【特許文献１】特開２００８−１９１２００号公報
【発明の概要】
【発明が解決しようとする課題】
【０００５】
しかしながら、前述したような積層構造をとる電気光学装置においては、層の数が増加することにより装置構成が複雑化してしまい、製造工程の複雑高度化、製造期間の長期化及びコストの増大等を招いてしまうという技術的問題点がある。
【０００６】
本発明は、例えば前述した問題点に鑑みなされたものであり、例えば、基板上の積層構造の単純化を図ることが可能な電気光学装置、及びこのような電気光学装置を備えた電子機器を提供することを課題とする。
【課題を解決するための手段】
【０００７】
本発明の電気光学装置は上記課題を解決するために、第１方向及び該第１方向に交わる第２方向に沿って配列された複数の画素と、前記画素毎に夫々対応して設けられた複数のトランジスターと、前記第１方向に沿って配列された前記画素からなる画素群毎に設けられ、前記トランジスターのゲート電極に電気的に夫々接続された複数の走査線とを備え、前記複数のトランジスターのうち前記第２方向において隣り合う前記画素に設けられた前記トランジスターは電気的に互いに直列接続されており、前記互いに直列接続されたトランジスターのうち前記第２方向における一端に位置するトランジスターに画像信号を供給する画像信号供給部を備える。
【０００８】
本発明の電気光学装置によれば、例えば基板上の表示領域（或いは「画素領域」とも呼ばれる）に、第１方向（例えば行方向或いはＸ方向）及び第２方向（例えば列方向或いはＹ方向）に沿って例えばマトリクス状に複数の画素が配列されており、この画素毎に例えば画素電極及びトランジスターが例えば１つずつ設けられている。複数の走査線は、例えば基板上の表示領域に、第１方向に沿って配列された画素からなる画素群（例えば、行方向に沿って配列された画素行）毎に設けられている。複数の走査線の各々は、対応する画素群（例えば対応する画素行）をなす画素に設けられたトランジスターのゲート電極に共通に電気的に接続されている。トランジスターは、そのゲート電極に例えば走査線駆動回路から走査線を介して所定の第１又は第２電位が供給されることでオン状態又はオフ状態となる。
【０００９】
本発明では特に、複数のトランジスターのうち第２方向において隣り合う画素に設けられたトランジスターは電気的に互いに直列接続されており、この互いに直列接続されたトランジスターのうち第２方向における一端に位置するトランジスターに画像信号供給部から画像信号が供給される。
【００１０】
よって、例えば、先ず、互いに直列接続されたトランジスターの全てがオン状態となるように複数の走査線の全てに所定の第１電位を供給し、その後、互いに直列接続されたトランジスターのうち第２方向における一端とは異なる他端側から一端側に向かって順番に所定期間毎にトランジスターがオフ状態となるように、複数の走査線に所定の第２電位を供給することで（即ち、第１電位から第２電位へ切り換えることで）、複数の画素の全てに、書き込むべき画像信号を書き込むことができる。したがって、複数の画素が配列された表示領域において画像表示を行うことが可能となる。
【００１１】
ここで本発明では特に、画像信号供給部からの画像信号が、互いに直列接続されたトランジスターの一部又は全部を介して各画素に供給される構成を有しているので、例えば、基板上の表示領域に、画像信号を供給するための配線（例えば特許文献１に開示されているデータ線）を第２方向に沿って延びるように設ける必要がない。よって、基板上の積層構造の単純化を図ることが可能となる。
【００１２】
以上説明したように、本発明の電気光学装置によれば、基板上の積層構造の単純化を図ることができる。この結果、製造工程を削減できるとともに、歩留まりを向上させることができる。更に、製造コストの低減を図ることもできる。
【００１３】
本発明の電気光学装置の一態様では、前記画像信号供給部は、表示を行うべき表示期間の前に前記画像信号を供給すべき期間として予め定められた信号供給期間毎に、前記一端に位置する前記トランジスターに前記画像信号として左目用画像信号及び右目用画像信号を交互に供給する。
【００１４】
この態様によれば、信号供給期間中に複数の画素電極に左目用画像信号と右目用画像信号とが時分割で交互に供給され、例えば表示領域において左目用画像及び右目用画像が時分割で交互に表示される。よって、例えば液晶シャッター眼鏡を介して左目用画像及び右目用画像を交互に見るユーザーに立体画像（３次元画像）を視認させることができる。即ち、この態様によれば、時分割方式の立体表示装置を実現することができる。
【００１５】
なお、「左目用画像信号」は、ユーザーが左目で見るべき左目用画像に対応する画像信号であり、「右目用画像信号」は、ユーザーが右目で見るべき右目用画像に対応する画像信号である。
【００１６】
本発明の電気光学装置の他の態様では、前記互いに直列接続されたトランジスターの全てがオン状態となるように前記複数の走査線の全てに所定の第１電位を供給し、その後、前記互いに直列接続されたトランジスターのうち前記第２方向における前記一端とは異なる他端側から前記一端側に向かって順番に所定期間毎に前記トランジスターがオフ状態となるように、前記複数の走査線に前記第１電位とは異なる所定の第２電位を供給する走査線駆動回路を備える。
【００１７】
この態様によれば、複数の画素の全ての画素電極に、書き込むべき画像信号を確実に書き込むことができる。したがって、複数の画素が配列された表示領域において、表示すべき画像を確実に表示することができる。
【００１８】
本発明の電子機器は上記課題を解決するために、前述した本発明の電気光学装置（但し、その各種態様も含む）を備える。
【００１９】
本発明の電子機器によれば、前述した本発明の電気光学装置を備えるので、高品位な表示を行うことが可能な、投射型表示装置、テレビ、携帯電話、電子手帳、ワードプロセッサー、ビューファインダー型又はモニター直視型のビデオテープレコーダー、ワークステーション、テレビ電話、ＰＯＳ端末、タッチパネルなどの各種電子機器を実現できる。また、本発明の電子機器として、例えば電子ペーパーなどの電気泳動装置、電子放出装置（Field Emission Display及びConduction Electron-Emitter Display）、これら電気泳動装置、電子放出装置を用いた表示装置を実現することも可能である。
【００２０】
本発明の作用及び他の利得は次に説明する発明を実施するための形態から明らかにされる。
【図面の簡単な説明】
【００２１】
【図１】第１実施形態に係る液晶装置の構成を示す平面図である。
【図２】図１のII−II’線断面図である。
【図３】第１実施形態に係る液晶装置の電気的な構成を示す回路図である。
【図４】第１実施形態における画像信号と液晶シャッター眼鏡の開閉状態との関係を示すタイミングチャートである。
【図５】第１実施形態における画像信号書き込み動作を説明するためのタイミングチャートである。
【図６】電気光学装置を適用した電子機器の一例たるプロジェクタの構成を示す平面図である。
【発明を実施するための形態】
【００２２】
以下では、本発明の実施形態について図を参照しつつ説明する。以下の実施形態では、本発明を、時分割方式の立体表示装置（即ち、３次元（３Ｄ）表示装置）として機能する液晶装置に適用した場合を例にとる。
【００２３】
＜第１実施形態＞
第１実施形態に係る液晶装置について、図１から図５を参照して説明する。
【００２４】
先ず、本実施形態に係る液晶装置の全体構成について、図１及び図２を参照して説明する。
【００２５】
図１は、本実施形態に係る液晶装置の構成を示す平面図であり、図２は、図１のII−II’線断面図である。
【００２６】
図１及び図２において、本実施形態に係る液晶装置１００は、表示領域１０ａにおいて右目用画像及び左目用画像を時分割で交互に表示することにより立体映像を表示する３Ｄ表示装置として構成されている。ユーザー（視認者）は、液晶装置１００の表示領域１０ａに時分割で交互に表示される右目用画像及び左目用画像を、液晶シャッター眼鏡を介して見ることにより、立体映像を視認することが可能となる。なお、液晶シャッター眼鏡に代えて、機械式シャッター眼鏡、偏光式シャッター眼鏡等を用いてもよいし、シャッター機構を液晶装置１００に取り付けてもよい。
【００２７】
図１及び図２に示すように、液晶装置１００では、ＴＦＴアレイ基板１０と対向基板２０とが互いに対向して配置されている。ＴＦＴアレイ基板１０と対向基板２０との間に液晶層５０が封入されており、ＴＦＴアレイ基板１０と対向基板２０とは、表示領域１０ａの周囲に位置するシール領域に設けられたシール材５２により相互に接着されている。
【００２８】
図１において、シール材５２が配置されたシール領域の内側に並行して、表示領域１０ａの額縁領域を規定する遮光性の額縁遮光膜５３が、対向基板２０側に設けられている。周辺領域のうち、シール材５２が配置されたシール領域の外側に位置する領域には、画像信号供給回路１０１及び外部回路接続端子１０２がＴＦＴアレイ基板１０の一辺に沿って設けられている。また、この一辺に隣接する２辺に沿ったシール領域の内側に、走査線駆動回路１０４が額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００２９】
ＴＦＴアレイ基板１０上には、外部回路接続端子１０２と、画像信号供給回路１０１、走査線駆動回路１０４、上下導通端子１０６等とを電気的に接続するための引回配線９０が形成されている。
【００３０】
図２において、ＴＦＴアレイ基板１０上には、画素スイッチング用の画素トランジスターや走査線等の配線が作り込まれた積層構造が形成されている。表示領域１０ａには、画素トランジスターや走査線等の配線の上層に画素電極９がマトリクス状に設けられている。画素電極９上には、配向膜が形成されている。他方、対向基板２０におけるＴＦＴアレイ基板１０との対向面上に、遮光膜２３が形成されている。遮光膜２３は、例えば遮光性金属膜等から形成されており、対向基板２０上の表示領域１０ａ内で、例えば格子状等にパターニングされている。そして、遮光膜２３上に、ＩＴＯ（Indium Tin Oxide）等の透明導電材料からなる対向電極２１が複数の画素電極９と対向してベタ状に形成されている。対向電極２１上には配向膜が形成されている。また、液晶層５０は、例えば一種又は数種類のネマティック液晶を混合した液晶からなり、これら一対の配向膜間で、所定の配向状態をとる。
【００３１】
尚、ここでは図示しないが、ＴＦＴアレイ基板１０上には、画像信号供給回路１０１、走査線駆動回路１０４の他に、製造途中や出荷時の当該液晶装置の品質、欠陥等を検査するための検査回路、検査用パターン等が形成されていてもよい。
【００３２】
次に、液晶装置１００の電気的な構成について、図３を参照して説明する。
【００３３】
図３は、本実施形態に係る液晶装置１００の電気的な構成を示す回路図である。
【００３４】
図３において、本実施形態に係る液晶装置１００は、ＴＦＴアレイ基板１０における表示領域１０ａに、複数の画素９００と、ｍ本の走査線１１（即ち、走査線Ｇ１、Ｇ２、…、Ｇｍ）とを備えている。
【００３５】
画素９００は、表示領域１０ａに、Ｘ方向及びＹ方向に沿ってマトリクス状に配置されている。より具体的には、画素９００は、ｍ行×ｎ列のマトリクス状に２次元に配置されている。即ち、画素９００は、表示領域１０ａにおける左側から第１列、第２列、…、第ｎ列で、上側から第１行、第２行、…、第ｍ行のマトリクス状に配置されている。
【００３６】
ｍ本の走査線１１は、Ｘ方向に沿って配列された画素９００からなる画素行毎に設けられている。具体的には、走査線Ｇ１は、第１行をなす画素９００に対応して設けられ、走査線Ｇ２は、第２行をなす画素９００に対応して設けられ、…、走査線Ｇｍは、第ｍ行をなす画素９００に対応して設けられている。ｍ本の走査線１１の各々は、Ｘ方向に沿って延びるように形成されている。
【００３７】
画素９００は、画素トランジスターＴｒ、液晶容量Ｃｌｃ及び蓄積容量Ｃｓを備えている。なお、本実施形態では、第ｉ行第ｋ列（但し、ｉ＝１、…、ｍ、ｋ＝１、…、ｎ）の画素９００の画素トランジスターＴｒを「画素トランジスターＴｒｉｋ」と適宜称し、第ｉ行第ｋ列（但し、ｉ＝１、…、ｍ、ｋ＝１、…、ｎ）の画素９００の蓄積容量Ｃｓを「蓄積容量Ｃｓｉｋ」と適宜称する。
【００３８】
液晶容量Ｃｌｃは、画素電極９、対向電極２１及び液晶層５０（図２参照）による容量である。対向電極２１には所定の基準電位Ｖｃｏｍ（例えば７ボルト）が供給される。
【００３９】
画素トランジスターＴｒは、本発明に係る「トランジスター」の一例としてのＮチャネル型又はＰチャネル型のＴＦＴである。画素トランジスターＴｒのドレインは、液晶容量Ｃｌｃ及び蓄積容量Ｃｓの各々の一端に電気的に接続されている。より具体的には、画素トランジスターＴｒのドレインは、液晶容量Ｃｌｃを構成する画素電極９と、蓄積容量Ｃｓを構成する一対の容量電極のうち画素電極９に電気的に接続された画素電位側容量電極とに電気的に接続されている。画素トランジスターＴｒのゲートは走査線１１に電気的に接続されている。より具体的には、第ｉ行（但し、ｉ＝１、…、ｍ）をなす画素９００の画素トランジスターＴｒのゲートは、第ｉ番の走査線Ｇｉ（但し、ｉ＝１、…、ｍ）に電気的に接続されている。即ち、画素トランジスターＴｒ１１、Ｔｒ１２、…、Ｔｒ１ｎの各々のゲートは、走査線Ｇ１に共通に電気的に接続され、画素トランジスターＴｒ２１、Ｔｒ２２、…、Ｔｒ２ｎの各々のゲートは、走査線Ｇ２に共通に電気的に接続され、…、画素トランジスターＴｒｍ１、Ｔｒｍ２、…、Ｔｒｍｎの各々のゲートは、走査線Ｇｍに共通に電気的に接続されている。画素トランジスターＴｒは、走査線駆動回路１０４から供給される走査信号によってオンオフが切り換えられる。
【００４０】
本実施形態では特に、Ｙ方向において隣り合う画素９００に設けられた画素トランジスターＴｒは電気的に互いに直列接続されている。即ち、第ｉ列をなす画素９００の画素トランジスターＴｒは互いに直列接続されている。つまり、画素トランジスターＴｒ１１、Ｔｒ２１、…、Ｔｒｍ１は互いに直列接続されており、画素トランジスターＴｒ１２、Ｔｒ２２、…、Ｔｒｍ２は互いに直列接続されており、…、画素トランジスターＴｒ１ｎ、Ｔｒ２ｎ、…、Ｔｒｍｎは互いに直列接続されている。より具体的には、例えば、画素トランジスターＴｒ１１のソースと画素トランジスターＴｒ２１のドレインとが互いに電気的に接続され、画素トランジスターＴｒ２１のソースと画素トランジスターＴｒ３１のドレインとが互いに電気的に接続され、…、画素トランジスターＴｒ（ｍ−１）１のソースと画素トランジスターＴｒｍ１のドレインとが互いに電気的に接続されている。
【００４１】
蓄積容量Ｃｓは、保持された画像信号がリークするのを防ぐために、液晶容量Ｃｌｃに並列に電気的に接続されている。
【００４２】
蓄積容量Ｃｓを構成する一対の容量電極の一方は、画素トランジスターＴｒのドレインに電気的に接続されている。蓄積容量Ｃｓを構成する一対の容量電極の他方には、所定の基準電位Ｖｃｏｍが供給される。
【００４３】
図３において、本実施形態に係る液晶装置１００には、そのＴＦＴアレイ基板１０上の表示領域１０ａの周辺に位置する周辺領域に、走査線駆動回路１０４及び画像信号供給回路１０１を含む駆動回路（或いは周辺回路）が設けられている。なお、画像信号供給回路１０１は、本発明に係る「画像信号供給部」の一例である。
【００４４】
走査線駆動回路１０４は、所定のタイミングで画素トランジスターＴｒのオンオフが切り換わるように、走査信号として高電位ＶＨ又は低電位ＶＬを走査線１１に出力する。
【００４５】
画像信号供給回路１０１は、表示領域１０ａに表示すべき画像に係る画像信号ＶＩＤを、第ｍ行の画素９００の画素トランジスターＴｒのソースに電気的に接続された信号線６（即ち、信号線Ｓ１、Ｓ２、…Ｓｎ）に供給する。信号線Ｓｉ（但し、ｉ＝１、２、…、ｎ）は、画像信号供給回路１０１から第ｍ行第ｉ列の画素９００の画素トランジスターＴｒｍｉへ、Ｙ方向に沿って延びるように形成されている。画像信号供給回路１０１は、画像信号ＶＩＤとして、右目用画像に係る右目用画像信号と左目用画像に係る左目用画像信号とを時分割で交互に信号線６に供給する。更に、本実施形態では、所謂「液晶の焼きつき」を防止するために、極性反転駆動方式が採用されており、画像信号は、所定周期で、基準電位Ｖｃｏｍ（例えば７ボルト）に対して高位側の正極性と低位側の負極性とで極性反転される。即ち、各画素９００には、正極性の電位（即ち、プラスフィールドの電位、例えば１２ボルト）と、負極性の電位（即ち、マイナスフィールドの電位、例えば２ボルト）とが交互に供給される。画像信号供給回路１０１は、信号線Ｓ１、Ｓ２、…、Ｓｎに、この順に線順次に画像信号ＶＩＤを供給する。なお、画像信号供給回路１０１は、相隣接する複数の信号線６同士に対して、グループ毎に画像信号ＶＩＤを供給してもよい。
【００４６】
次に、液晶装置１００の動作について、図４及び図５を参照して説明する。
【００４７】
図４は、本実施形態における画像信号と液晶シャッター眼鏡の開閉状態との関係を示すタイミングチャートである。なお、図４には、画像信号の経時的な変化、液晶シャッター眼鏡の右側（Ｒ側）シャッターの開閉状態の経時的な変化、及び液晶シャッター眼鏡の左側（Ｌ側）シャッターの開閉状態の経時的な変化が示されている。また、図４においては、右側シャッター及び左側シャッターの各々について、開状態を白（空白）部で示し、閉状態を斜線部で示している。
【００４８】
図４において、液晶装置１００の動作時には、先ず、期間Ｔ１において、画像信号として正極性の右目用画像信号（図中「Ｒ＋」）が全ての画素９００に所定の順番で書き込まれる。なお、画素９００に画像信号を書き込む画像信号書き込み動作については、図５を参照して後述する。この期間Ｔ１においては、右側シャッター及び左側シャッターの両方が閉状態（即ち、光を透過しない光非透過状態）とされる。つまり、期間Ｔ１は、画像信号を全ての画素９００に供給するための期間であり、ユーザーが表示領域１０ａに表示される映像を見ない期間である。次に、期間Ｔ２において、全ての画素９００で正極性の右目用画像信号が保持される。この期間Ｔ２においては、右側シャッターが開状態（即ち、光を透過する光透過状態）とされ、左側シャッターが閉状態とされる。つまり、期間Ｔ２は、ユーザーが表示領域１０ａに表示される右目用画像を見る期間である。なお、期間Ｔ２においては、画像信号供給回路１０１は、画像信号を信号線６に供給しない。次に、期間Ｔ３において、画像信号として負極性の左目用画像信号（図中「Ｌ−」）が全ての画素９００に所定の順番で書き込まれる。この期間Ｔ３においては、期間Ｔ１と同様に、右側シャッター及び左側シャッターの両方が閉状態とされる。つまり、期間Ｔ３は、期間Ｔ１と同様に、画像信号を全ての画素９００に供給するための期間である。次に、期間Ｔ４において、全ての画素９００で負極性の左目用画像信号が保持される。この期間Ｔ４においては、右側シャッターが閉状態とされ、左側シャッターが開状態とされる。つまり、期間Ｔ４は、ユーザーが表示領域１０ａに表示される左目用画像を見る期間である。次に、期間Ｔ５において、画像信号として負極性の右目用画像信号（図中「Ｒ−」）が全ての画素９００に所定の順番で書き込まれる。この期間Ｔ５においては、期間Ｔ１と同様に、右側シャッター及び左側シャッターの両方が閉状態とされる。つまり、期間Ｔ５は、期間Ｔ１と同様に、画像信号を全ての画素９００に供給するための期間である。次に、期間Ｔ６において、全ての画素９００で負極性の右目用画像信号が保持される。この期間Ｔ６においては、右側シャッターが開状態とされ、左側シャッターが閉状態とされる。期間Ｔ６は、ユーザーが表示領域１０ａに表示される右目用画像を見る期間である。次に、期間Ｔ７において、画像信号として正極性の左目用画像信号（図中「Ｌ＋」）が全ての画素９００に所定の順番で書き込まれる。この期間Ｔ７においては、期間Ｔ１と同様に、右側シャッター及び左側シャッターの両方が閉状態とされる。つまり、期間Ｔ７は、期間Ｔ１と同様に、画像信号を全ての画素９００に供給するための期間である。次に、期間Ｔ８において、全ての画素９００で正極性の左目用画像信号が保持される。この期間Ｔ８においては、右側シャッターが閉状態とされ、左側シャッターが開状態とされる。期間Ｔ８は、ユーザーが表示領域１０ａに表示される左目用画像を見る期間である。期間Ｔ８の後は、前述した期間Ｔ１からＴ８と同様の動作が繰り返される。例えば、期間Ｔ８に続く期間Ｔ９では、期間Ｔ１と同様に、画像信号として正極性の右目用画像信号が全ての画素９００に所定の順番で書き込まれる。
【００４９】
このように、本実施形態では、画像信号が全ての画素９００に順番に供給されるとともに、右側シャッター及び左側シャッターの両方が閉状態とされる期間（図４の例では、期間Ｔ１、Ｔ３、Ｔ５、Ｔ７、Ｔ９）と、画像信号の画素９００への供給が停止されるとともに、右側シャッター及び左側シャッターの一方が開状態とされ他方が閉状態とされる期間（図４の例では、期間Ｔ２、Ｔ４、Ｔ６、Ｔ８）とが交互に繰り返される。よって、複数の画素９００に保持されていた画像信号が書き換えられる途中（即ち、画像信号が全ての画素９００に順番に供給される期間）において表示領域１０ａに表示される映像をユーザーに見せることなく、右目用画像及び左目用画像を所定周期で交互に液晶シャッター眼鏡を介してユーザーに見せることができ、立体映像をユーザーに視認させることができる。
【００５０】
前述したように、画像信号として右目用画像信号及び左目用画像信号が時分割で交互に複数の画素９００に供給される。ここで本実施形態では特に、同一の目用の画像信号毎に極性が反転される。即ち、例えば、画像信号供給回路１０１は、正極性の右目用画像信号を供給した後（例えば、期間Ｔ１の後）に、右目用画像信号を再び供給する際（例えば期間Ｔ５）には、該右目用画像信号を負極性の画像信号として供給し、負極性の右目用画像信号を供給した後（例えば、期間Ｔ５の後）に、右目用画像信号を供給する際（例えば期間Ｔ９）には、該右目用画像信号を正極性の画像信号として供給する。また、画像信号供給回路１０１は、負極性の左目用画像信号を供給した後（例えば、期間Ｔ３の後）に、左目用画像信号を供給する際（例えば期間Ｔ７）には、該左目用画像信号を正極性の画像信号として供給し、正極性の左目用画像信号を供給した後に、左目用画像信号を供給する際には、該左目用画像信号を負極性の画像信号として供給する。よって、表示領域１０ａにおける所謂「液晶の焼き付き」を効果的に防止できる。
【００５１】
図５は、本実施形態における画像信号書き込み動作を説明するためのタイミングチャートである。図５には、信号線Ｓ１に供給される画像信号の経時変化、走査線Ｇ１、Ｇ２、…、Ｇｍの各々の電位の経時変化、及び蓄積容量Ｃｓ１１、Ｃｓ２１、…Ｃｓｍ１の各々に保持される画像信号の経時変化が示されている。
【００５２】
図３及び図５において、液晶装置１００の画像信号書き込み動作は、図４を参照して前述したように、液晶シャッター眼鏡の右側シャッター及び左側シャッターの両方が閉状態とされる期間（例えば図４の例では、期間Ｔ１、Ｔ３、Ｔ５、Ｔ７、Ｔ９）毎に行われ、液晶シャッター眼鏡の右側シャッター及び左側シャッターのいずれか一方が開状態とされる期間（例えば図４の例では、期間Ｔ２、Ｔ４、Ｔ６、Ｔ８）には行われない。
【００５３】
画像信号書き込み動作では、先ず、走査線Ｇ１、Ｇ２、…、Ｇｍの全てに走査信号として高電位ＶＨが走査線駆動回路１０４によって供給されるとともに、第１行の画素９００に書き込むべき画像信号ＶＩＤ１が画像信号供給回路１０１によって信号線Ｓ１、Ｓ２、…、Ｓｎに順次供給される（より具体的には、第１行第ｉ列の画素９００に書き込むべき画像信号が信号線Ｓｉに供給される）。これにより、全ての画素９００の画素トランジスターＴｒがオン状態となり、信号線Ｓｉに供給された画像信号ＶＩＤ１は、第ｉ列をなす画素９００の全てに書き込まれる。例えば、図５に示すように、信号線Ｓ１に供給された画像信号ＶＩＤ１は、蓄積容量Ｃｓ１１、Ｃｓ２１、…、Ｃｓｍ１に書き込まれる。ここで、互いに直列接続された画素トランジスターＴｒ１１、Ｔｒ２１、…、Ｔｒｍ１の全てがオン状態であるので、画像信号ＶＩＤ１を、互いに直列接続された画素トランジスターＴｒ１１、Ｔｒ２１、…、Ｔｒｍ１を介して蓄積容量Ｃｓ１１に書き込むことができる。なお、図５では、信号線Ｓ２、…、Ｓｎに供給される画像信号、及び第２列から第ｎ列をなす画素９００の蓄積容量Ｃｓに保持される画像信号の図示を省略している。
【００５４】
次に、所定期間経過後に（即ち、信号線Ｓ１、Ｓ２、…、Ｓｎに画像信号ＶＩＤ１を順次供給することにより、全ての画素９００に画像信号ＶＩＤ１を書き込んだ後に）、走査線Ｇ１に供給される走査信号が高電位ＶＨから低電位ＶＬに切り替えられるとともに、第２行の画素９００に書き込むべき画像信号ＶＩＤ２が画像信号供給回路１０１によって信号線Ｓ１、Ｓ２、…、Ｓｎに順次供給される（より具体的には、第２行第ｉ列の画素９００に書き込むべき画像信号が信号線Ｓｉに供給される）。この際、走査線Ｇ２、…、Ｇｍに供給される走査信号は高電位ＶＨのまま維持される。これにより、第１行の画素９００の画素トランジスターＴｒ（即ち、画素トランジスターＴｒ１１、Ｔｒ１２、…、Ｔｒ１ｎ）がオフ状態となり、第２行から第ｍ行の画素トランジスターＴｒがオン状態となる。よって、信号線Ｓｉに供給された画像信号ＶＩＤ２が第ｉ列をなす画素９００のうち第２行から第ｍ行の画素９００に書き込まれるとともに、第１行の画素９００に保持されている画像信号ＶＩＤ１はそのまま維持される。例えば、図５に示すように、信号線Ｓ１に供給された画像信号ＶＩＤ２は、蓄積容量Ｃｓ２１、…、Ｃｓｍ１に書き込まれるが、蓄積容量Ｃｓ１１には書き込まれず、蓄積容量Ｃｓ１１は、保持すべき画像信号ＶＩＤ１を保持したままとなる。ここで、互いに直列接続された画素トランジスターＴｒ１１、Ｔｒ２１、…、Ｔｒｍ１のうちＴｒ１１のみがオフ状態であり他の全てがオン状態であるので、画像信号ＶＩＤ２を、互いに直列接続された画素トランジスターＴｒ２１、…、Ｔｒｍ１を介して蓄積容量Ｃｓ２１に書き込むことができるとともに、蓄積容量Ｃｓ１１が画像信号ＶＩＤ１を保持した状態を維持することができる。
【００５５】
次に、所定期間経過後に（即ち、信号線Ｓ１、Ｓ２、…、Ｓｎに画像信号ＶＩＤ２を順次供給することにより、第２行から第ｍ行の画素９００に画像信号ＶＩＤ２を書き込んだ後に）、走査線Ｇ２に供給される走査信号が高電位ＶＨから低電位ＶＬに切り替えられるとともに、第３行の画素９００に書き込むべき画像信号ＶＩＤ３が画像信号供給回路１０１によって信号線Ｓ１、Ｓ２、…、Ｓｎに順次供給される（より具体的には、第３行第ｉ列の画素９００に書き込むべき画像信号が信号線Ｓｉに供給される）。この際、走査線Ｇ１に供給される走査信号は低電位ＶＬのまま維持され、走査線Ｇ３、…、Ｇｍに供給される走査信号は高電位ＶＨのまま維持される。これにより、第１行及び第２行の画素９００の画素トランジスターＴｒがオフ状態となり、第３行から第ｍ行の画素トランジスターＴｒがオン状態となる。よって、信号線Ｓｉに供給された画像信号ＶＩＤ３が第ｉ列をなす画素９００のうち第３行から第ｍ行の画素９００に書き込まれるとともに、第１行及び第２行の画素９００に保持されている画像信号はそのまま維持される。例えば、図５に示すように、信号線Ｓ１に供給された画像信号ＶＩＤ３は、蓄積容量Ｃｓ３１、…、Ｃｓｍ１に書き込まれるが、蓄積容量Ｃｓ１１及びＣ２１には書き込まれず、蓄積容量Ｃｓ１１は保持すべき画像信号ＶＩＤ１を保持したままとなり、蓄積容量Ｃ２１は保持すべき画像信号ＶＩＤ２を保持したままとなる。ここで、互いに直列接続された画素トランジスターＴｒ１１、Ｔｒ２１、…、Ｔｒｍ１のうちＴｒ１１及びＴｒ２１のみがオフ状態であり他の全てがオン状態であるので、画像信号ＶＩＤ３を、互いに直列接続された画素トランジスターＴｒ３１、…、Ｔｒｍ１を介して蓄積容量Ｃｓ３１に書き込むことができるとともに、蓄積容量Ｃｓ１１が画像信号ＶＩＤ１を保持し、蓄積容量Ｃｓ２１が画像信号ＶＩＤ２を保持した状態を維持することができる。
【００５６】
その後、同様に、走査線Ｇ３、…、Ｇｍ−１に供給される走査信号が、所定期間経過毎に高電位ＶＨから低電位ＶＬに順次切り換えられることにより、第４行から第ｍ行の画素９００に書き込むべき画像信号が、画素行毎に順次書き込まれる。
【００５７】
このように、画像信号を画素９００に書き込む際、走査線駆動回路１０１は、先ず、互いに直列接続された画素トランジスターＴｒの全てがオン状態となるようにｍ本の走査線１１の全てに走査信号として高電位ＶＨを供給し、その後、互いに直列接続された画素トランジスターＴｒのうち第１行の画素９００の画素トランジスターＴｒから第ｍ−１行の画素９００の画素トランジスターＴｒに向かって順番に順番に所定期間毎に画素トランジスターＴｒがオフ状態となるように、走査信号を高電位ＶＨから低電位ＶＬに切り替える。これにより、表示領域１０ａに配列された複数の画素９００の全てに、書き込むべき画像信号を確実に書き込むことができ、表示領域１０ａにおいて表示すべき画像を確実に表示することができる。
【００５８】
本実施形態では特に、画像信号供給部１０１からの画像信号が、互いに直列接続された画素トランジスターＴｒの一部又は全部を介して各画素９００の画素電極９に供給される構成を有しているので、例えば、ＴＦＴアレイ基板１０上の表示領域１０ａに、画像信号を供給するための配線（例えば特許文献１に開示されているデータ線）をＹ方向に沿って延びるように設ける必要がない。よって、ＴＦＴアレイ基板１０上の積層構造の単純化を図ることが可能となる。
【００５９】
以上説明したように、本実施形態に係る液晶装置１００によれば、ＴＦＴアレイ基板上の積層構造の単純化を図ることができる。この結果、製造工程を削減できるとともに、歩留まりを向上させることができる。更に、製造コストの低減を図ることもできる。また、本実施形態に係る液晶装置１００によれば、立体映像をユーザーに視認させることができる。加えて、液晶の焼きつきを効果的に防止できる。
【００６０】
＜電子機器＞
次に、前述した電気光学装置である液晶装置を各種の電子機器に適用する場合について説明する。
【００６１】
図６は、プロジェクターの構成例を示す平面図である。以下では、この液晶装置をライトバルブとして用いたプロジェクターについて説明する。
【００６２】
図６に示されるように、プロジェクター１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【００６３】
液晶パネル１１１０Ｒ、１１１０Ｂ及び１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【００６４】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【００６５】
なお、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルターを設ける必要はない。
【００６６】
なお、図６を参照して説明した電子機器の他にも、モバイル型のパーソナルコンピューターや、携帯電話、液晶テレビや、ビューファインダー型、モニター直視型のビデオテープレコーダー、カーナビゲーション装置、ページャー、電子手帳、電卓、ワードプロセッサー、ワークステーション、テレビ電話、ＰＯＳ端末、タッチパネルを備えた装置等が挙げられる。そして、これらの各種電子機器に適用可能なのは言うまでもない。
【００６７】
また、本発明は上述の各実施形態で説明した液晶装置以外にも反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【００６８】
本発明は、前述した実施形態に限られるものではなく、特許請求の範囲及び明細書全体から読み取れる発明の要旨或いは思想に反しない範囲で適宜変更可能であり、そのような変更を伴う電気光学装置、及び該電気光学装置を備えてなる電子機器もまた本発明の技術的範囲に含まれるものである。
【符号の説明】
【００６９】
６…信号線、９…画素電極、１０…ＴＦＴアレイ基板、１０ａ…表示領域、１１…走査線、２０…対向基板、２１…対向電極、５０…液晶層、１０１…画像信号供給回路、１０４…走査線駆動回路、９００…画素、Ｃｌｃ…液晶容量、Ｃｓ…蓄積容量、Ｔｒ…画素トランジスター。
【図１】
2012168228.tif 000003
【図２】
2012168228.tif 000004
【図３】
2012168228.tif 000005
【図４】
2012168228.tif 000006
【図５】
2012168228.tif 000007
【図６】
2012168228.tif 000008